(57)【要約】【課題】設置する際の手間を減らしつつ、隣接するシート同士の隙間から小さな物体がシートよりも外側に落下することを抑制することのできる養生用シート及びその設置方法を提供する。【解決手段】養生用シート１０は、矩形シート状のシート本体２０と、シート本体２０において平行をなして長手方向に延びる第１外周縁２１および第２外周縁２２のうち第１外周縁２１に形成され、第１外周縁２１の外周端側へそれぞれ延びて２枚のシート状に分岐する表分岐部２１ａ及び裏分岐部２１ｂを備える。シート本体２０における第２外周縁２２の長手方向の両端部と表分岐部２１ａの長手方向の両端部とに、複数の養生用シート１０を並べて配置したときに重ね合わせ可能な貫通孔（鳩目３１）が形成されている。シート本体２０の第２外周縁２２及びその内周部２３を含む部分と裏分岐部２１ｂとを重ね合わせた状態で固定可能な面ファスナ４１，４２を備える。【選択図】図１
2010159621.tif 000002
【特許請求の範囲】
【請求項１】
養生用シートであって、
矩形シート状のシート本体と、
前記シート本体において平行をなして長手方向に延びる第１外周縁および第２外周縁のうち第１外周縁に形成され、第１外周縁の外周端側へそれぞれ延びて２枚のシート状に分岐する第１分岐部及び第２分岐部と、
前記シート本体における第２外周縁の長手方向の両端部と前記第１分岐部の長手方向の両端部とに形成されて、本養生用シートにおける前記シート本体の前記第１分岐部と前記第２分岐部とで隣接する養生用シートの前記第２外周縁を挟み込んだときに重ね合わせ可能な貫通孔と、
本養生用シートにおける前記シート本体の前記第１分岐部と前記第２分岐部とで隣接する養生用シートの前記第２外周縁を挟み込んだときに、隣接する養生用シートにおける前記シート本体の第２外周縁及びその内周側を含む部分と本養生用シートにおける前記第２分岐部とを重ね合わせた状態で固定可能な固定構造と、
前記シート本体における第２外周縁の長手方向の両端部と前記第１分岐部の長手方向の両端部とに形成された前記貫通孔同士を結ぶ線分と平行をなして前記貫通孔よりも前記シート本体の外周端側に配設されるとともに、前記シート本体を広げて前記貫通孔の位置で前記シート本体を引っ張る前の状態において、平行をなす前記線分よりも短く形成されて両端部が前記シート本体に固定された紐と、
を備えていることを特徴とする養生用シート。
【請求項２】
前記紐は、更に中間部が前記シート本体に固定されていることを特徴とする請求項１に記載の養生用シート。
【請求項３】
前記シート本体の第２分岐部は、前記シート本体の長手方向において、前記シート本体における第２外周縁の長手方向の両端部と前記第１分岐部の長手方向の両端部とに形成された前記貫通孔よりも内側にのみ設けられていることを特徴とする請求項１又は２に記載の養生用シート。
【請求項４】
前記シート本体の第２分岐部には、前記シート本体における前記第１分岐部の長手方向の両端部に形成された前記貫通孔に重ね合わされる位置に貫通孔が形成されていることを特徴とする請求項１又２に記載の養生用シート。
【請求項５】
前記第２分岐部は、前記第１分岐部よりも前記シート本体における第１外周縁の外周端側へ長く延びるように形成され、
前記固定構造は、本養生用シートにおける前記シート本体の前記第１分岐部と前記第２分岐部とで隣接する養生用シートの前記第２外周縁を挟み込んだときに、隣接する養生用シートにおいて前記シート本体の短手方向の第２外周縁に形成された貫通孔よりも内側の部分と本養生用シートの前記第２分岐部とを固定可能であることを特徴とする請求項１〜４のいずれか１項に記載の養生用シート。
【請求項６】
前記固定構造は、本養生用シートにおける前記シート本体の前記第１分岐部と前記第２分岐部とで隣接する養生用シートの前記第２外周縁を挟み込んだときに、前記シート本体の長手方向の両端部と中間部の所定間隔毎の位置とにおいて、隣接する養生用シートの前記シート本体の第２外周縁及びその内周側を含む部分と本養生用シートの前記第２分岐部とを固定可能であることを特徴とする請求項１〜５のいずれか１項に記載の養生用シート。
【請求項７】
前記シート本体における第２外周縁と前記第１分岐部とに形成された前記貫通孔は、本養生用シートにおける前記シート本体の前記第１分岐部と前記第２分岐部とで隣接する養生用シートの前記第２外周縁を挟み込んだときに、それぞれ重なり合うように前記シート本体の短手方向に並んで２つ形成されていることを特徴とする請求項１〜６のいずれか１項に記載の養生用シート。
【請求項８】
請求項１〜７のいずれか１項に記載の養生用シートからなる第１の養生用シート及び第２の養生用シートをクランプによって足場に設置する方法であって、
前記第１の養生用シートにおける前記シート本体の前記第１分岐部と前記第２分岐部とで、前記第２の養生用シートの第２外周縁を挟み込む工程と、
前記第２の養生用シートの前記シート本体における第２外周縁の長手方向の両端部と、前記第１の養生用シートにおける前記第１分岐部の長手方向の両端部とに、重ね合わせ可能なように形成された前記貫通孔を互いに重ね合わせる工程と、
前記互いに重ね合わされた貫通孔に前記クランプの挿通部材を挿通させてクランプを前記足場の支柱に固定することにより、前記第１の養生用シート及び前記第２の養生用シートを引っ張った状態にして前記紐が伸ばされた状態とする工程と、
前記第２の養生用シートにおける前記シート本体の第２外周縁及びその内周側を含む部分と前記第１の養生用シートの前記第２分岐部とを重ね合わせた状態で前記固定構造により固定する工程と、
を備えることを特徴とする養生用シートの設置方法。
【発明の詳細な説明】
【技術分野】
【０００１】
本発明は、建設工事現場の足場等に設置される養生用シート及びその設置方法に関する。
【背景技術】
【０００２】
この種の養生用シートにおいて、隣接するシート同士の隙間から小さな物体がシートよりも外側に落下することを防止するものがある（例えば、特許文献１参照）。この特許文献１に記載のものは、図５に示すように、互いに隣接するメッシュシート４１０の上下の外周縁４２０および左右の外周縁４３０を重ね合わせたときに、それぞれの一対の取付け孔４２０ａ，４３０ａが互いに重なり合うように形成されている。そして、重なり合う一対の取付け孔４３０ａ（取付け孔４２０ａ）に掛け渡すように結束紐をそれぞれ挿通して、メッシュシート４１０の裏側にある足場の支柱６１に各結束紐を結束している。
【０００３】
ところで、特許文献１に記載のものは、重なり合う一対の取付け孔４３０ａ（取付け孔４２０ａ）に掛け渡すように結束紐をそれぞれ挿通して結束するものであるため、メッシュシート４１０の設置に非常に多くの手間がかかる。
【０００４】
こうした課題に対して、図６に示すように、足場の支柱６１にクランプ本体４７０ａを取付けるとともに、クランプ本体４７０ａに突設された「Ｌ」字形の挿通部材４７０ｂに防護シート５１０の取付け孔５３１が挿通されるようにするものがある（例えば、特許文献２参照）。この特許文献２に記載のものによれば、防護シート５１０に形成された各取付け孔５３１に結束紐を挿通して結束する必要がないため、防護シート５１０を設置する際の手間を減らすことができる。
【先行技術文献】
【特許文献】
【０００５】
【特許文献１】実開昭６４−３３８５４号公報
【特許文献２】特開２０００−２０４７６７号公報
【発明の概要】
【発明が解決しようとする課題】
【０００６】
しかしながら、特許文献２に記載のものにおいて、クランプ４７０によって防護シート５１０の上端部および下端部のみを固定した場合には、左右に隣接する防護シート５１０同士の隙間から小さな物体がシート５１０よりも外側に落下するおそれがある。ここで、特許文献１に記載のメッシュシート４１０を特許文献２に記載のクランプ４７０によって固定することが考えられる。この場合には、メッシュシート４１０の左右の外周縁４３０が重ね合わされるため、メッシュシート４１０同士の隙間から小さな物体がシートよりも外側に落下することが抑制されるとも考えられる。
【０００７】
ところが、実際の建設工事現場では風の影響があり、高層建築物の足場にあっては強風に晒されることも多い。このため、特許文献１に記載のメッシュシート４１０を特許文献２に記載のクランプ４７０によって固定したとしても、メッシュシート４１０の長手方向の中間部では重なり合うメッシュシート４１０の面同士が風の影響で離れることとなる。その結果、メッシュシート４１０の長手方向の中間部において、その面同士の隙間から小さな物体がシートよりも外側に落下するおそれがある。
【０００８】
本発明は、上記実情に鑑みてなされたものであり、設置する際の手間を減らしつつ、隣接するシート同士の隙間から小さな物体がシートよりも外側に落下することを抑制することのできる養生用シート及びその設置方法を提供することを主たる目的とするものである。
【課題を解決するための手段】
【０００９】
上記課題を解決するための手段および作用効果について以下に述べる。
【００１０】
第１の発明は、養生用シートであって、矩形シート状のシート本体と、前記シート本体において平行をなして長手方向に延びる第１外周縁および第２外周縁のうち第１外周縁に形成され、第１外周縁の外周端側へそれぞれ延びて２枚のシート状に分岐する第１分岐部及び第２分岐部と、前記シート本体における第２外周縁の長手方向の両端部と前記第１分岐部の長手方向の両端部とに形成されて、本養生用シートにおける前記シート本体の前記第１分岐部と前記第２分岐部とで隣接する養生用シートの前記第２外周縁を挟み込んだときに重ね合わせ可能な貫通孔と、本養生用シートにおける前記シート本体の前記第１分岐部と前記第２分岐部とで隣接する養生用シートの前記第２外周縁を挟み込んだときに、隣接する養生用シートにおける前記シート本体の第２外周縁及びその内周側を含む部分と本養生用シートにおける前記第２分岐部とを重ね合わせた状態で固定可能な固定構造とを備えることを特徴とする。
【００１１】
第１の発明によれば、矩形シート状のシート本体において平行をなして長手方向に延びる第１外周縁および第２外周縁のうち第１外周縁に、第１外周縁の外周端側へそれぞれ延びて２枚のシート状に分岐する第１分岐部及び第２分岐部が形成されているため、複数の養生用シートを短手方向で隣接させて配置したときに、隣接するシートの第２外周縁を本シートの第１外周縁に形成された第１分岐部と第２分岐部とで挟み込むことができる。そして、前記シート本体における第２外周縁の長手方向の両端部と、前記第１分岐部の長手方向の両端部とに、本養生用シートにおける前記シート本体の前記第１分岐部と前記第２分岐部とで隣接する養生用シートの前記第２外周縁を挟み込んだときに重ね合わせ可能な貫通孔が形成されているため、隣接するシートにおける第２外周縁の長手方向の両端部に形成された貫通孔と、本シートにおける第１分岐部の長手方向の両端部に形成された貫通孔とを重ね合わせて、クランプの挿通部材等を挿通してシートを固定することができる。このため、隣接するシートの第２外周縁を本シートの第１外周縁の第１分岐部と第２分岐部とで挟み込んだ状態で、隣接するシートの第２外周縁と本シートの第１分岐部とを長手方向に引っ張った状態とすることができる。その結果、シートの長手方向の両端部を固定することによりシートを設置することができるため、シートを設置する際の手間を減らすことができる。
【００１２】
また、本養生用シートにおける前記シート本体の前記第１分岐部と前記第２分岐部とで隣接する養生用シートの前記第２外周縁を挟み込んだときに、隣接する養生用シートにおける前記シート本体の第２外周縁及びその内周側を含む部分と本養生用シートにおける前記第２分岐部とを重ね合わせた状態で固定可能な固定構造を備えるため、隣接するシートの第２外周縁を本シートの第１外周縁の第１分岐部と第２分岐部とで挟み込んだ状態で、隣接するシートの第２外周縁及びその内周側を含む部分に本シートの第２分岐部を重ね合わせて固定することができる。このため、隣接するシートの第２外周縁及びその内周側を含む部分の面と、本シートの第２分岐部の面との間に隙間が生じることを抑制することができる。したがって、隣接するシートの第２外周縁の面と本シートの第１分岐部の面とが風等により離れたとしても、それらの面同士の隙間が本シートの第２分岐部によって塞がれることとなる。その結果、シートが風の影響を受けたとしても、隣接するシート同士の隙間から小さな物体がシートよりも外側に落下することを抑制することができる。なお、隣接する養生用シートにおける前記シート本体の第２外周縁及びその内周側を含む部分と本養生用シートにおける前記第２分岐部とを重ね合わせた状態で固定可能な固定構造は、シート本体の長手方向の所定位置において第２外周縁及びその内周側を含む部分と第２分岐部とを固定可能なものであればよい。
【００１３】
また、隣接する養生用シートにおける前記シート本体の第２外周縁及びその内周側を含む部分と本養生用シートの前記第２分岐部とに、シート本体の短手方向に延びるように面ファスナを設けることにより、これらの面ファスナの少なくとも一部を密着させて固定することができる。その結果、クランプと面ファスナとによって容易に養生用シートを固定することができる。
【００１４】
また更に、第１分岐部をシート本体と一体に形成するとともに、シート本体に第２分岐部を取付けるようにすれば、貫通孔の形成される第１分岐部の強度を確保することができるとともに、養生用シートの構成を簡素にすることができる。
【００１５】
第２の発明は、第１の発明において、前記第２分岐部は前記第１分岐部よりも前記シート本体における前記第１外周縁の外周端側へ長く延びるように形成され、前記固定構造は、本養生用シートにおける前記シート本体の前記第１分岐部と前記第２分岐部とで隣接する養生用シートの前記第２外周縁を挟み込んだときに、隣接する養生用シートにおいて前記シート本体の短手方向の第２外周縁に形成された貫通孔よりも内側の部分と本養生用シートの前記第２分岐部とを固定可能であるため、隣接するシートの第２外周縁およびその内周側を含む部分と本シートの第２分岐部とが重なり合う幅を、隣接するシートの第２外周縁と本シートの第１分岐部とが重なり合う幅よりも広くすることができる。その結果、シートを設置する位置やクランプの構成等による制約から、隣接するシートの第２外周縁と本シートの第１分岐部とが重なり合う幅を広くすることができない場合であっても、隣接するシート同士に隙間が生じることを抑制することができる。
【００１６】
第３の発明は、第１又は第２の発明において、前記シート本体における第２外周縁の長手方向の両端部と前記第１分岐部の長手方向の両端部とに形成された前記貫通孔同士を結ぶ線分と平行をなして前記貫通孔よりも前記シート本体の外周端側に配設されるとともに、平行をなす前記線分よりも短く形成されて両端部が前記シート本体に固定された紐を備えているため、シート全体を広げて貫通孔にクランプ等を適用してシートを引っ張った状態にすると、シートを設置する前よりも紐が伸ばされた状態となる。このため、貫通孔よりもシート本体の外周端側に配設された紐に張力が発生した状態となり、この紐の張力によってシートの外周を直線状に保持することができる。したがって、シートの面を押すような力が作用した場合であっても、シートの外形が内周側に変形することを抑制することができる。その結果、隣接するシート同士に隙間が生じることを更に抑制することができる。
【００１７】
第４の発明は、第３の発明において、前記紐は、更に中間部が前記シート本体に固定されているため、シートが設置されて紐が伸ばされた状態になったときに、その固定された中間部を両端部側へそれぞれ引っ張ることができる。このため、紐の両端部のみがシート本体に固定されている場合と比較して、シート本体の中間部に紐の張力を効率的に伝えることができるため、シートの外形が内周側に変形することを更に抑制することができる。
【００１８】
隣接するシートのシート本体における第２外周縁の長手方向の両端部に形成された貫通孔と、本シートにおける第１分岐部の長手方向の両端部に形成された貫通孔とを重ね合わせてクランプの挿通部材等を挿通させる場合には、本シートの第２分岐部とクランプの挿通部材等との干渉が問題となる。
【００１９】
この点、第５の発明は、第１〜第４のいずれかの発明において、前記シート本体の第２分岐部は、前記シート本体の長手方向において、前記シート本体における第２外周縁の長手方向の両端部と前記第１分岐部の長手方向の両端部とに形成された前記貫通孔よりも内側にのみ設けられているため、本シートの第２分岐部はクランプの挿通部材等を避けることができる。その結果、シート本体の第１外周縁の外周端側へそれぞれ延びて２枚のシート状に分岐する第１分岐部及び第２分岐部を備える養生用シートであっても、クランプ等により問題なく設置することができる。
【００２０】
また、第６の発明は、第１〜第４のいずれかの発明において、前記シート本体の第２分岐部には、前記シート本体における前記第１分岐部の長手方向の両端部に形成された前記貫通孔に重ね合わされる位置に貫通孔が形成されているため、シート本体の第１分岐部に形成された貫通孔と第２分岐部に形成された貫通孔とに共にクランプの挿通部材等を挿通させてシートを固定することができる。このような構成によっても、クランプ等により問題なくシートを設置することができる。さらに、シート本体の第２分岐部を長手方向に引っ張った状態することができるため、隣接するシートの第２外周縁と本シートの第２分岐部とに隙間が生じることを抑制することができる。なお、前記シート本体における前記第１分岐部の長手方向の両端部に形成された前記貫通孔と前記シート本体の第２分岐部に形成された上記貫通孔とで、隣接する養生用シートにおける前記シート本体の第２外周縁及びその内周側を含む部分と本養生用シートにおける前記第２分岐部とを重ね合わせた状態で固定可能な固定構造を構成することもできる。
【００２１】
隣接するシートの第２外周縁と本シートの第１外周縁とが重なり合う状態において、隣接するシートの第２外周縁及びその内周側を含む部分と本シートの第２分岐部とを固定する固定構造が設けられていない部分では、シートの面を押すような力が作用した場合に外周縁同士の重なり合う幅が狭くなるようにシートがずれることとなる。こうしたシートのずれが大きくなった場合には、シートの外周縁同士の重なり合いがなくなって隙間が生じるおそれがある。ここで、このようなシートのずれは、シート本体の第２外周縁及びその内周側を含む部分と第２分岐部とを固定する固定構造からの距離が長い部分ほど大きくなる。一方、長手方向の全長にわたって連続的な固定構造を設けた場合には、シートのコストが増加することとなる。
【００２２】
この点、第７の発明は、第１〜第６のいずれかの発明において、前記固定構造は、本養生用シートにおける前記シート本体の前記第１分岐部と前記第２分岐部とで隣接する養生用シートの前記第２外周縁を挟み込んだときに、前記シート本体の長手方向の両端部と中間部の所定間隔毎の位置とにおいて、隣接する養生用シートの前記シート本体の第２外周縁及びその内周側を含む部分と本養生用シートの前記第２分岐部とを固定可能であるため、シート本体の長手方向において両端部と中間部の所定間隔毎の位置とにおいて上記シートのずれを抑制することができる。このため、長手方向の全長にわたって連続的な固定構造を設けることなく、固定構造からの距離の長い部分が形成されることを抑制することができる。その結果、シートのコストが増加することを抑制しつつ、シート同士に隙間が生じることを抑制することができる。さらに、シート本体の長手方向の両端部において、隣接するシートの第２外周縁及びその内周側を含む部分と本シートの第２分岐部とを固定可能であるため、本シートの長手方向の両端部から第２分岐部がめくれることを抑制することができる。
【００２３】
第８の発明は、第１〜第７のいずれかの発明において、前記シート本体における第２外周縁と前記第１分岐部とに形成された前記貫通孔は、本養生用シートにおける前記シート本体の前記第１分岐部と前記第２分岐部とで隣接する養生用シートの前記第２外周縁を挟み込んだときに、それぞれ重なり合うように前記シート本体の短手方向に並んで２つ形成されているため、この並んで形成された２つの貫通孔にクランプの２つの挿通部材等を挿通させることにより、２つの貫通孔の間隔分だけ隣接するシートの第２外周縁と本シートの第１分岐部とが重なり合う幅を確保することができる。その結果、隣接するシートの第２外周縁が本シートの第１分岐部と第２分岐部との間から外れることを抑制することができるとともに、シートの面を押すような力が作用してシートがずれたとしてもシートの外周縁同士の重なり合いがなくなることを抑制することができる。さらに、並んで形成された２つの貫通孔にクランプの２つの挿通部材等を挿通させることにより、１つの貫通孔にクランプの挿通部材等を挿通させる場合と比較して、クランプの挿通部材を中心としたシートの回転を抑制することができる。このため、シートの外周縁が移動することを抑制することができ、隣接するシート同士に隙間が生じることを更に抑制することができる。
【００２４】
第９の発明は、第１〜第８のいずれかの発明における養生用シートからなる第１の養生用シート及び第２の養生用シートをクランプによって足場に設置する方法であって、  前記第１の養生用シートにおける前記シート本体の前記第１分岐部と前記第２分岐部とで、前記第２の養生用シートの第２外周縁を挟み込む工程と、前記第２の養生用シートの前記シート本体における第２外周縁の長手方向の両端部と、前記第１の養生用シートにおける前記第１分岐部の長手方向の両端部とに、重ね合わせ可能なように形成された前記貫通孔を互いに重ね合わせる工程と、前記互いに重ね合わされた貫通孔に前記クランプの挿通部材を挿通させてクランプを前記足場の支柱に固定する工程と、前記第２の養生用シートにおける前記シート本体の第２外周縁及びその内周側を含む部分と前記第１の養生用シートの前記第２分岐部とを重ね合わせた状態で前記固定構造により固定する工程とを備えることを特徴とする。
【００２５】
第９の発明によれば、前記第１の養生用シートにおける前記シート本体の前記第１分岐部と前記第２分岐部とで、前記第２の養生用シートの第２外周縁が挟み込まれる。そして、前記第２の養生用シートの前記シート本体における第２外周縁の長手方向の両端部と、前記第１の養生用シートにおける前記第１分岐部の長手方向の両端部とに、重ね合わせ可能なように形成された貫通孔が互いに重ね合わせられ、前記互いに重ね合わされた貫通孔に前記クランプの挿通部材が挿通されてクランプが足場の支柱に固定される。このため、第２の養生用シートの第２外周縁を第１の養生用シートにおける第１外周縁の第１分岐部と第２分岐部とで挟み込んだ状態で、第２の養生用シートの第２外周縁と第１の養生用シートの第１分岐部とを長手方向に引っ張った状態とすることができる。その結果、シートの長手方向の両端部をクランプによって固定することによりシートを設置することができるため、シートを設置する際の手間を減らすことができる。
【００２６】
また、第２の養生用シートの第２外周縁を第１の養生用シートにおける第１外周縁の第１分岐部と第２分岐部とで挟み込んだ状態で、前記第２の養生用シートにおける前記シート本体の第２外周縁及びその内周側を含む部分と前記第１の養生用シートの前記第２分岐部とが前記固定構造により固定される。このため、第２の養生用シートの第２外周縁及びその内周側を含む部分の面と、第１の養生用シートにおける第２分岐部の面との間に隙間が生じることを抑制することができる。したがって、第２の養生用シートにおける第２外周縁の面と第１の養生用シートにおける第１分岐部の面とが風等により離れたとしても、それらの面同士の隙間が第１の養生用シートの第２分岐部によって塞がれることとなる。その結果、シートが風の影響を受けたとしても、隣接するシート同士の隙間から小さな物体がシートよりも外側に落下することを抑制することができる。
【図面の簡単な説明】
【００２７】
【図１】養生用シートを示す正面図。
【図２】図１の養生用シートを足場に設置する態様を示す正面図。
【図３】図１の３−３線断面図。
【図４】養生用シートの変形例を示す正面図。
【図５】従来の養生用シートを足場に設置する態様を示す正面図。
【図６】従来の養生用シートを足場に固定するクランプを示す斜視図。
【発明を実施するための形態】
【００２８】
以下、一実施形態について図１〜３を参照しつつ説明する。
【００２９】
図１に示すように、養生用シート１０は矩形シート状のシート本体２０を備えている。シート本体２０はメッシュ状に形成されており、通気性および透光性を有している。シート本体２０は、平行をなして長手方向に延びる第１外周縁２１と第２外周縁２２とを備えている。すなわち、第１外周縁２１及び第２外周縁２２は、シート本体２０の長辺側の外周縁である。
【００３０】
第１外周縁２１は、２枚のシート状に分岐しており、表側に配置された表分岐部２１ａ（第１分岐部）と、シート本体２０の裏側に配置された裏分岐部２１ｂ（第２分岐部）とを備えている。表分岐部２１ａは、シート本体２０の長手方向の全長にわたって一定幅の帯状に形成されている。裏分岐部２１ｂは、表分岐部２１ａから端部２１ｃ及び端部２１ｄの部分を除いた長さで一定幅の帯状に形成されている。表分岐部２１ａと裏分岐部２１ｂとは、シート本体２０の中央側の端部位置が一致している。すなわち、シート本体２０において、裏分岐部２１ｂが縫い付けられている縫付け部２１ｅよりも外周側の部分が表分岐部２１ａとなっている。表分岐部２１ａ及び裏分岐部２１ｂは、シート本体２０の第１外周縁２１に形成されて第１外周縁２１の外周端側へそれぞれ延びている。第１外周縁２１の表分岐部２１ａと第２外周縁２２とは、シート本体２０の短手方向において等しい幅で形成されている。このため、複数の養生用シート１０を短手方向に並べて第１外周縁２１と第２外周縁２２とが重なるように配置したときに、表分岐部２１ａと裏分岐部２１ｂとで第２外周縁２２を挟み込むことができるとともに、第１外周縁の表分岐部２１ａと第２外周縁２２とを重ね合わせることができる。そして、裏分岐部２１ｂは表分岐部２１ａよりも広い幅で形成されているため、裏分岐部２１ｂは表分岐部２１ａよりもシート本体２０の外周端側へ張り出している。換言すれば、裏分岐部２１ｂは、表分岐部２１ａよりもシート本体２０における第１外周縁２１の外周端側へ長く延びている。このため、複数のシート１０を第１外周縁２１と第２外周縁２２とが重なるように配置したときに、第２外周縁２２及びその内周側の内周部２３と第１外周縁２１の裏分岐部２１ｂとが重なり合う幅を、第２外周縁２２と第１外周縁２１の表分岐部２１ａとが重なり合う幅よりも広くすることができる。
【００３１】
第１外周縁２１における表分岐部２１ａの端部２１ｃと、第２外周縁２２の端部２２ｃとには、一対の鳩目３１によってそれぞれ一対の貫通孔が形成されている。これらの鳩目３１は、養生用シート１０を短手方向に並べて配置したときに重ね合わせることが可能な位置に取付けられている。このため、複数の養生用シート１０を短手方向に並べて設置する場合に、１枚目のシート（本シート）における表分岐部２１ａの一対の貫通孔と、２枚目のシート（隣接するシート）における第２外周縁の一対の貫通孔とを重ね合わせて、クランプの挿通部材を挿通させることができる。また、第１外周縁２１における表分岐部２１ａの端部２１ｄと、第２外周縁２２の端部２２ｄとには、シート本体２０の長手方向において所定間隔で一対の鳩目３１が取付けられている。複数の養生用シート１０を短手方向に並べて配置したときに、これらの鳩目３１によって形成される貫通孔も重ね合わせることが可能であり、クランプの挿通部材を挿通させることができる。養生用シート１０は、長手方向の長さが５４００ｍｍに設定され、短手方向において表分岐部２１ａに取付けられた一対の鳩目３１同士の中央から第２外周縁２２に取付けられた一対の鳩目３１同士の中央までの長さが１８００ｍｍに設定されている。そして、表分岐部２１ａの端部２１ｄと、第２外周縁２２の端部２２ｄとには、シート本体２０の長手方向において所定間隔で鳩目３１が取付けられているため、クランプとの位置関係に応じて使用する貫通孔を選択することができる。このため、足場の支柱においてクランプを固定することのできる位置に制約がある場合であっても、養生用シート１０を長手方向に適切に引っ張ることができる。
【００３２】
シート本体２０の裏分岐部２１ｂは、シート本体２０の長手方向において、シート本体２０における第２外周縁２２の端部２２ｃ，２２ｄと、第１外周縁２１における表分岐部２１ａの端部２１ｃ，２１ｄとに取付けられた鳩目３１よりも内側にのみ設けられている。このため、複数の養生用シート１０を短手方向に並べて配置したときに、これらの鳩目３１によって形成される貫通孔が裏分岐部２１ｂによって覆われることを避けることができる。
【００３３】
第１外周縁２１における裏分岐部２１ｂの長手方向の両端部と、シート本体２０において第２外周縁２２よりも内周側の内周部２３とには、一対の面ファスナ４１，４２（固定構造）がそれぞれ設けられている。面ファスナ４１，４２は、互いの面を密着させることによりその密着させた部分を固定するものである。面ファスナ４１は裏分岐部２１ｂの表側の面に設けられ、面ファスナ４２は内周部２３の裏側の面に設けられている。面ファスナ４１と面ファスナ４２とは、同寸法の矩形状に形成されるとともに、シート本体２０の長手方向において同じ位置に設けられている。シート本体２０の短手方向に関して、表分岐部２１ａに取付けられた鳩目３１から面ファスナ４１までの距離と、第２外周縁２２に取付けられた鳩目３１から面ファスナ４２までの距離とは略等しく設定されている。このため、複数の養生用シート１０を短手方向に並べて配置して、表分岐部２１ａに取付けられた一対の鳩目３１と第２外周縁２２に取付けられた一対の鳩目３１とを重ね合わせたときに、面ファスナ４１と面ファスナ４２とを重ね合わせることができる。なお、シート本体２０の長手方向の中央部にも面ファスナ４１，４２が同様に設けられている。
【００３４】
シート本体２０において、平行をなして長手方向に延びる第１外周縁２１と第２外周縁２２とには紐５１ｂが配設され、平行をなして短手方向に延びる短辺側の外周縁２６には紐５１ａが配設されている。これらの紐５１ａ，５１ｂは、シート本体２０の外周縁に沿って設けられた補強部材５４とシート本体２０の外周縁とを重ねて折返した内部に配置されている。そして、この折返した部分が縫い付けられることにより、紐５１ａ，５１ｂはシート本体２０の外周縁に対してそれぞれ平行に保持されている。紐５１ａ，５１ｂは、シート本体２０の長手方向および短手方向において鳩目３１よりも外周端側に配設されている。換言すれば、紐５１ａ，５１ｂは、シート本体２０における第２外周縁２２の長手方向の両端部と、第１外周縁２１における表分岐部２１ａの長手方向の両端部とに形成された貫通孔（鳩目３１）同士を結ぶ線分に対して、平行をなして貫通孔よりもシート本体２０の外周端側に配設されている。紐５１ａの両端部は、糸５２によってシート本体２０に縫い付けられている。さらに、紐５１ａはシート本体２０の短手方向において１／３幅の間隔毎に縫い付けられている。このため、紐５１ａが引っ張られた場合には、この縫い付けられた部分が紐５１ａの張力によって引っ張られることとなる。また、紐５１ａは、シート本体２０の短手方向の両端部において最も端側に取付けられた鳩目３１同士を結ぶ線分よりも短く形成されている。このため、弛みがないようにシート本体２０を短手方向に引っ張った場合には、紐５１ａが伸ばされた状態となる。なお、シート本体２０における第１外周縁２１の表分岐部２１ａと第２外周縁２２とに配設された紐５１ｂも、紐５１ａと同様の態様で配設されている。すなわち、紐５１ｂは、シート本体２０の長手方向において、紐５１ｂの両端部および１／３幅の間隔毎の部分が縫い付けられるとともに、シート本体２０の長手方向の両端部において最も端側に取付けられた鳩目３１同士を結ぶ線分よりも短く形成されている。
【００３５】
次に、図２を参照して、複数の養生用シート１０を短手方向に並べて建設工事現場の足場に設置する方法を説明する。なお、図２において、右側のシートを第１の養生用シート１０、左側のシートを第２の養生用シート１０と称する。
【００３６】
第１の養生用シート１０と第２の養生用シート１０とが重なり合う部分において、第１の養生用シート１０におけるシート本体２０の表分岐部２１ａと裏分岐部２１ｂとで、第２の養生用シート１０の第２外周縁２２を挟み込む。ここで、第１の養生用シート１０における第１外周縁２１の表分岐部２１ａと第２の養生用シート１０の第２外周縁２２とは、シート本体２０の短手方向において等しい幅で形成されている。このため、第１の養生用シート１０の表分岐部２１ａと裏分岐部２１ｂとの間に、第２の養生用シート１０の第２外周縁２２を奥まで挿入したときに、第１の養生用シート１０における第１外周縁２１の表分岐部２１ａと第２の養生用シート１０の第２外周縁２２とが重なり合うこととなる。
【００３７】
このとき、第２の養生用シート１０のシート本体２０における第２外周縁２２の長手方向の両端部に形成された一対の貫通孔（一対の鳩目３１）と、第１の養生用シート１０における表分岐部２１ａの長手方向の両端部に形成された一対の貫通孔（一対の鳩目３１）とが重ね合わされた状態となる。これらの重ね合わされた一対の貫通孔の位置には裏分岐部２１ｂが設けられていないため、これらの貫通孔が裏分岐部２１ｂによって覆われることはない。したがって、足場の支柱６１に仮留めしておいたクランプ７０の挿通部材７０ｂをこれらの重ね合わされた貫通孔に挿通させる。ここで、足場は、支柱６１の他に水平材６２等を含んで構成されている。このため、クランプ７０は、水平材６２等を避けた位置に仮留めされている。表分岐部２１ａの端部２１ｄに所定間隔で取付けられた鳩目３１においては、支柱６１に固定されたクランプ７０の位置に応じていずれかの鳩目３１を選択して使用する。そして、クランプ７０を締め付けて支柱６１に固定することにより、第１の養生用シート１０の表分岐部２１ａと第２の養生用シート１０の第２外周縁２２とをシート本体２０の長手方向に引っ張った状態とする。これらの貫通孔は、シート本体２０の短手方向に並んで一対として形成されているため、この一対の貫通孔にクランプ７０の２つの挿通部材７０ｂを挿通させることにより、一対の貫通孔の間隔分だけ第２の養生用シート１０の第２外周縁２２と第１の養生用シート１０の表分岐部２１ａとが重なり合う幅を確保することができる。さらに、短手方向に並んで形成された一対の貫通孔にクランプ７０の２つの挿通部材７０ｂを挿通させることにより、１つの貫通孔にクランプの挿通部材を挿通させる場合と比較して、クランプの挿通部材を中心とした養生用シート１０の回転を抑制することができる。なお、複数の養生用シート１０が短手方向で重なり合う他の部分についても同様にクランプ７０により養生用シート１０を固定する。また、養生用シート１０を長手方向に並べて設置する場合には、例えば上側のシート１０における表分岐部２１ａの端部２１ｄに形成された貫通孔と下側のシートにおける表分岐部２１ａの端部２１ｃに形成された貫通孔とを重ね合わせてクランプ７０の挿通部材７０ｂを挿通させるようにする。したがって、複数の養生用シート１０が短手方向および長手方向に重なり合う部分では、４枚の養生用シート１０の貫通孔を重なり合わせてクランプ７０の挿通部材７０ｂを挿通させる。
【００３８】
こうして第１および第２の養生用シート１０の貫通孔にクランプ７０の挿通部材７０ｂが挿通されてクランプ７０が固定されると、養生用シート１０がクランプ７０によって引っ張られた状態となる。ここで、養生用シート１０のシート本体２０の外周端に沿って配設された紐５１ａ，５１ｂは、シート本体２０の四隅に取付けられた鳩目３１よりもシート本体２０の外周端側に配設されているとともに、四隅の鳩目３１同士の距離よりも短く設定されている。このため、養生用シート１０がクランプ７０によって固定されると、紐５１ａ，５１ｂが伸ばされた状態となる。したがって、紐５１ａ，５１ｂに張力が発生した状態となり、シート本体２０の外周を直線状に保持することができる。そして、養生用シート１０の面を押すような力が作用した場合であっても、養生用シート１０が押された方向に移動することや養生用シート１０の外形が内周側に変形することを抑制することができる。また、紐５１ａ，５１ｂは、両端部と両端部からそれぞれ１／３の長さの位置が糸によって縫い付けられている。このため、紐５１ａ，５１ｂに張力が発生すると、この縫い付けられた部分が紐５１ａ，５１ｂの両端部側へそれぞれ引っ張られた状態となる。したがって、紐５１ａ，５１ｂの両端部から１／３の長さの位置に紐５１ａ，５１ｂの張力を効率的に伝えて、養生用シート１０の外周縁の弛みを抑制することができる。
【００３９】
次に、第１の養生用シート１０における裏分岐部２１ｂの表側の面に設けられた面ファスナ４１を、第２の養生用シート１０におけるシート本体２０の裏側の面に設けられた面ファスナ４２に密着させて固定する。面ファスナ４１，４２は、裏分岐部２１ｂの長手方向の両端部および中央部に設けられているため、面ファスナ４１，４２を過剰に設けることなく、第１の養生用シート１０における裏分岐部２１ｂの最低限必要な部分を第２の養生用シート１０におけるシート本体２０の裏側の面に固定することができる。すなわち、養生用シート１０の面を押すような力が作用した場合には、第１の養生用シート１０の裏分岐部２１ｂと第２の養生用シート１０の第２外周縁２２及びその内周部２３とが重なり合う幅が狭くなるように養生用シート１０がずれることとなる。これに対して、裏分岐部２１ｂの長手方向の両端部および中央部を面ファスナ４１，４２によって固定した場合には、両端部のみを面ファスナ４１，４２によって固定した場合と比較して養生用シート１０のずれ幅を略半分にすることができる。
【００４０】
第１および第２の養生用シート１０が重なり合う部分について、図３を参照して説明する。図３は、図１の３−３線断面であり、これらのシート１０をクランプ７０及び面ファスナ４１，４２で固定する態様を示している。
【００４１】
第２の養生用シート１０のシート本体２０における第２外周縁２２に形成された一対の貫通孔（一対の鳩目３１）と、第１の養生用シート１０における表分岐部２１ａに形成された一対の貫通孔（一対の鳩目３１）とが重ね合わされた状態において、これらの一対の貫通孔がクランプ７０の一対の挿通部材７０ｂによって挿通される。このとき、第１の養生用シート１０の裏分岐部２１ｂは、第２の養生用シート１０の第２外周縁２２と足場の支柱６１との間を通して、クランプ７０の下側から第２の養生用シート１０の面ファスナ４２側に配置されている。なお、シート本体２０の長手方向において裏分岐部２１ｂの他方（下側）の端部はクランプ７０の上側から第２の養生用シート１０の面ファスナ４２側に配置されている。すなわち、裏分岐部２１ｂは、シート本体２０の長手方向に配置された２つのクランプ７０の間を通されている。
【００４２】
このとき、面ファスナ４１と面ファスナ４２とが対向した状態となっているため、これらの面ファスナ４１，４２を密着させて固定する。このように面ファスナ４１，４２が固定されると、第２の養生用シート１０の第２外周縁２２が第１の養生用シート１０の表分岐部２１ａと裏分岐部２１ｂとで挟み込まれて互いに当接した状態となる。したがって、これらの重ね合わされた３枚のシート状部分の間に隙間が生じることが抑制される。ここで、風等の影響により、第１の養生用シート１０における表分岐部２１ａの面と第２の養生用シート１０における第２外周縁２２の面との間に隙間が生じたとしても、この隙間が第１の養生用シート１０の裏分岐部２１ｂによって塞がれることとなる。
【００４３】
また、第１の養生用シート１０における裏分岐部２１ｂに設けられた面ファスナ４１は、第２の養生用シート１０の第２外周縁２２よりも内周側の内周部２３に設けられた面ファスナ４２に固定される。このため、裏分岐部２１ｂが第２外周縁２２及び内周部２３と重なり合う幅は、表分岐部２１ａが第２外周縁２２と重なり合う幅よりも広くなる。したがって、表分岐部２１ａが第２外周縁２２と重なり合う幅はクランプ７０の一対の挿通部材７０ｂの間隔によって制限されるものの、裏分岐部２１ｂが第２外周縁２２及び内周部２３と重なり合う幅をより広くすることができる。
【００４４】
以上詳述した本実施の形態によれば、以下の優れた効果が得られる。
【００４５】
矩形シート状のシート本体２０において平行をなして長手方向に延びる第１外周縁２１および第２外周縁２２のうち第１外周縁２１に、第１外周縁２１の外周端側へそれぞれ延びて２枚のシート状に分岐する表分岐部２１ａ及び裏分岐部２１ｂが形成されているため、複数の養生用シート１０を短手方向で隣接させて配置したときに、隣接するシート１０の第２外周縁２２を本シート１０の第１外周縁２１に形成された表分岐部２１ａと裏分岐部２１ｂとで挟み込むことができる。そして、シート本体２０における第２外周縁２２の長手方向の端部２２ｃ，２２ｄと、表分岐部２１ａの長手方向の端部２１ｃ，２１ｄとに重ね合わせ可能な一対の貫通孔（鳩目３１）が形成されているため、隣接するシート１０における第２外周縁２２の長手方向の端部２１ｃ，２１ｄに形成された一対の貫通孔（鳩目３１）と、本シート１０における表分岐部２１ａの長手方向の端部２１ｃ，２１ｄに形成された一対の貫通孔（鳩目）とを重ね合わせて、クランプ７０の挿通部材７０ｂを挿通してシート１０を固定することができる。このため、隣接するシート１０の第２外周縁２２を本シート１０の第１外周縁２１の表分岐部２１ａと裏分岐部２１ｂとで挟み込んだ状態で、隣接するシート１０の第２外周縁２２と本シート１０の表分岐部２１ａとを長手方向に引っ張った状態とすることができる。その結果、シート１０の長手方向の両端部を固定することによりシート１０を設置することができるため、シート１０を設置する際の手間を減らすことができる。
【００４６】
また、シート本体２０の第２外周縁２２及びその内周側の内周部２３を含む部分と裏分岐部２１ｂとを重ね合わせた状態で固定可能な面ファスナ４１，４２を備えるため、隣接するシート１０の第２外周縁２２を本シート１０の第１外周縁２１の表分岐部２１ａと裏分岐部２１ｂとで挟み込んだ状態で、隣接するシート１０の第２外周縁２２及び内周部２３を含む部分に本シート１０の裏分岐部２１ｂを重ね合わせて固定することができる。このため、隣接するシート１０の第２外周縁２２及び内周部２３を含む部分の面と、本シート１０の裏分岐部２１ｂの面との間に隙間が生じることを抑制することができる。したがって、隣接するシート１０の第２外周縁２２の面と本シート１０の表分岐部２１ａの面とが風等により離れたとしても、それらの面同士の隙間が本シート１０の裏分岐部２１ｂによって塞がれることとなる。その結果、シート１０が風の影響を受けたとしても、隣接するシート１０同士の隙間から小さな物体がシート１０よりも外側に落下することを抑制することができる。
【００４７】
裏分岐部２１ｂは表分岐部２１ａよりもシート本体２０における第１外周縁２１の外周端側へ長く延びるように形成され、面ファスナ４１，４２は、シート本体２０の長手を方向において第２外周縁２２に形成された貫通孔よりも内側の内周部２３と裏分岐部２１ｂとを固定可能であるため、隣接するシート１０の第２外周縁２２および内周部２３を含む部分と本シート１０の裏分岐部２１ｂとが重なり合う幅を、隣接するシート１０の第２外周縁２２と本シート１０の表分岐部２１ａとが重なり合う幅よりも広くすることができる。その結果、シート１０を設置する位置やクランプ７０の構成による制約から、隣接するシート１０の第２外周縁２２と本シート１０の表分岐部２１ａとが重なり合う幅を広くすることができない場合であっても、隣接するシート１０同士に隙間が生じることを抑制することができる。
【００４８】
養生用シート１０は、シート本体２０における第２外周縁２２の長手方向の端部２２ｃ，２２ｄと表分岐部２１ａの長手方向の端部２１ｃ，２１ｄとに形成された貫通孔（鳩目３１）同士を結ぶ線分と平行をなしてこれらの貫通孔よりもシート本体２０の外周端側に配設された紐５１ａ，５１ｂを備えている。これらの紐５１ａ，５１ｂは、その平行をなす線分よりも短く形成されて両端部がシート本体２０に固定されている。このため、シート１０全体を広げて貫通孔にクランプ７０を適用してシート１０を引っ張った状態にすると、シート１０を設置する前よりも紐５１ａ，５１ｂが伸ばされた状態となる。このため、貫通孔よりもシート本体２０の外周端側に配設された紐５１ａ，５１ｂに張力が発生した状態となり、この紐５１ａ，５１ｂの張力によってシート１０の外周を直線状に保持することができる。したがって、シート１０の面を押すような力が作用した場合であっても、シート１０の外形が内周側に変形することを抑制することができる。その結果、隣接するシート１０同士に隙間が生じることを更に抑制することができる。
【００４９】
紐５１ａ，５１ｂは、両端部および中間部がシート本体２０に固定されているため、シート１０が設置されて紐５１ａ，５１ｂが伸ばされた状態になったときに、その固定された中間部を両端部側へそれぞれ引っ張ることができる。このため、紐５１ａ，５１ｂの両端部のみがシート本体２０に固定されている場合と比較して、シート本体２０の中間部に紐５１ａ，５１ｂの張力を効率的に伝えることができるため、シート１０の外形が内周側に変形することを更に抑制することができる。
【００５０】
隣接するシート１０のシート本体２０における第２外周縁２２の長手方向の端部２２ｃ，２２ｄに形成された貫通孔と、本シート１０における表分岐部２１ａの長手方向の端部２１ｃ，２１ｄに形成された貫通孔とを重ね合わせてクランプ７０の挿通部材７０ｂを挿通させる場合には、本シート１０の裏分岐部２１ｂとクランプ７０の挿通部材７０ｂとの干渉が問題となる。
【００５１】
この点、シート本体２０の裏分岐部２１ｂは、シート本体２０の長手方向において、シート本体２０における第２外周縁２２の長手方向の端部２２ｃと端部２２ｄとに形成された貫通孔よりも内側にのみ設けられ、また表分岐部２１ａの長手方向の端部２１ｃと端部２１ｄとに形成された貫通孔よりも内側にのみ設けられているため、本シート１０の裏分岐部２１ｂはクランプ７０の挿通部材７０ｂを避けることができる。その結果、シート本体２０の第１外周縁２１の外周端側へそれぞれ延びて２枚のシート状に分岐する表分岐部２１ａ及び裏分岐部２１ｂを備える養生用シート１０であっても、クランプ７０により問題なく設置することができる。
【００５２】
隣接するシート１０の第２外周縁２２と本シート１０の第１外周縁２１とが重なり合う状態において、隣接するシート１０の第２外周縁２２及びその内周側の内周部２３を含む部分と本シート１０の裏分岐部２１ｂとを固定する面ファスナ４１，４２が設けられていない部分では、シート１０の面を押すような力が作用した場合に第１外周縁２１と第２外周縁２２との重なり合う幅が狭くなるようにシート１０がずれることとなる。こうしたシート１０のずれが大きくなった場合には、シート１０の第１外周縁２１と第２外周縁２２との重なり合いがなくなって隙間が生じるおそれがある。ここで、このようなシート１０のずれは、シート本体２０の第２外周縁２２及び内周部２３を含む部分と裏分岐部２１ｂとを固定する面ファスナ４１，４２からの距離が長い部分ほど大きくなる。一方、長手方向の全長にわたって連続的な面ファスナ４１，４２を設けた場合には、シート１０のコストが増加することとなる。
【００５３】
この点、面ファスナ４１，４２は、シート本体２０の長手方向の両端部と中央部とにおいて、シート本体２０の第２外周縁２２及び内周部２３を含む部分と裏分岐部２１ｂとを固定可能であるため、シート本体２０の長手方向において両端部と中央部とにおいて上記シート１０のずれを抑制することができる。このため、長手方向の全長にわたって連続的な面ファスナ４１，４２を設けることなく、面ファスナ４１，４２からの距離の長い部分が形成されることを抑制することができる。その結果、シート１０のコストが増加することを抑制しつつ、シート１０同士に隙間が生じることを抑制することができる。さらに、シート本体２０の長手方向の両端部において、隣接するシート１０の第２外周縁２２及び内周部２３を含む部分と本シート１０の裏分岐部２１ｂとを固定可能であるため、本シート１０の長手方向の両端部から裏分岐部２１ｂがめくれることを抑制することができる。
【００５４】
シート本体２０における第２外周縁２２と表分岐部２１ａとに形成された貫通孔は、シート本体２０の短手方向に並んで一対として形成されているため、この並んで形成された一対の貫通孔にクランプ７０の一対の挿通部材７０ｂを挿通させることにより、一対の貫通孔の間隔分だけ隣接するシート１０の第２外周縁２２と本シート１０の表分岐部２１ａとが重なり合う幅を確保することができる。その結果、隣接するシート１０の第２外周縁２２が本シート１０の表分岐部２１ａと裏分岐部２１ｂとの間から外れることを抑制することができるとともに、シート１０の面を押すような力が作用してシート１０がずれたとしてもシート１０の第１外周縁２１と第２外周縁２２との重なり合いがなくなることを抑制することができる。さらに、並んで形成された一対の貫通孔にクランプ７０の一対の挿通部材７０ｂを挿通させることにより、１つの貫通孔にクランプの挿通部材を挿通させる場合と比較して、クランプ７０の挿通部材７０ｂを中心としたシート１０の回転を抑制することができる。このため、シート１０の外周縁２１，２２が移動することを抑制することができ、隣接するシート１０同士に隙間が生じることを更に抑制することができる。
【００５５】
なお、本発明は上記実施形態の記載内容に限定されず、例えば次のように実施してもよい。
【００５６】
上記実施形態では、第２の養生用シート１０のシート本体２０における第２外周縁２２に形成された一対の貫通孔（一対の鳩目３１）と、第１の養生用シート１０における表分岐部２１ａに形成された一対の貫通孔（一対の鳩目３１）とを重ね合わせて、これらの貫通孔にクランプ７０の挿通部材７０ｂを挿通した後に、面ファスナ４１，４２を密着させて固定するようにしたが、これらの順番を逆にすることもできる。
【００５７】
上記実施形態では、シート本体２０における第２外周縁２２と表分岐部２１ａとに形成された貫通孔は、シート本体２０の短手方向に並んで一対として形成されるようにしたが、それら一対の貫通孔同士の中央に単独の貫通孔を形成するようにしてもよい。この場合であっても、複数の養生用シート１０を上記実施形態と同様の間隔で並べて設置することができる。
【００５８】
上記実施形態では、面ファスナ４１，４２は、シート本体２０の長手方向の両端部と中央部とにおいて、シート本体２０の第２外周縁２２及びその内周側の内周部２３を含む部分と裏分岐部２１ｂとを固定可能に設けられたが、シート本体２０の長手方向においてこれらとは異なる位置に所定間隔毎に面ファスナ４１，４２を設けるようにしてもよい。また、シート本体２０の長手方向の全長にわたって連続的な面ファスナ４１，４２を設けることもできる。
【００５９】
上記実施形態では、本シート１０の裏分岐部２１ｂとクランプ７０の挿通部材７０ｂとの干渉を避けるために、シート本体２０の長手方向において、シート本体２０の裏分岐部２１ｂを表分岐部２１ａの長手方向の端部２１ｃと端部２１ｄとに形成された貫通孔よりも内側にのみ設けるようにしたが、図４に示すように、シート本体２０の裏分岐部２１ｂをシート本体２０の長手方向の全長にわたって設けるとともに、表分岐部２１ａに形成された貫通孔と重ね合わされる位置に貫通孔を形成するようにしてもよい。この場合には、シート本体２０の表分岐部２１ａに形成された貫通孔と裏分岐部２１ｂに形成された貫通孔とに共にクランプ７０の挿通部材７０ｂを挿通させて養生用シート１１０を固定することができる。このような構成によっても、クランプ７０により問題なくシート１１０を設置することができる。さらに、シート本体２０の裏分岐部２１ｂを長手方向に引っ張った状態することができるため、隣接するシート１１０の第２外周縁２２と本シート１１０の裏分岐部２１ｂとに隙間が生じることを抑制することができる。なお、面ファスナ１４１ａ，１４２ａと面ファスナ１４１ｂ，１４２ｂとは、シート本体２０の長手方向の両端に設けられている。また、裏分岐部２１ｂは第２外周縁２２と当接した状態でクランプ７０によって固定されるため、面ファスナ１４１ａ，１４２ａ、面ファスナ１４１ｂ，１４２ｂ、及び裏分岐部２１ｂの表分岐部２１ａよりも外周端側に張り出した部分を省略することもできる。
【００６０】
上記実施形態では、紐５１ａ，５１ｂの両端部および中間部をシート本体２０に固定するようにしたが、紐５１ａ，５１ｂの両端部のみをシート本体２０に固定することもできる。
【００６１】
上記実施形態では、紐５１ａ，５１ｂは、シート本体２０における第２外周縁２２の長手方向の端部２２ｃ，２２ｄと表分岐部２１ａの長手方向の端部２１ｃ，２１ｄとに形成された貫通孔（鳩目３１）同士を結ぶ線分と平行をなして、その平行をなす線分よりも短く形成されるようにしたが、その平行をなす線分と同じ長さに形成することもできる。その場合であっても、養生用シート１０の面を押すような力が作用した場合には、紐５１ａ，５１ｂが伸ばされた状態となるため、紐５１ａ，５１ｂに張力を発生させることができる。なお、こうした紐５１ａ，５１ｂを省略することもできる。
【００６２】
上記実施形態では、第１外周縁２１において裏分岐部２１ｂの表分岐部２１ａよりも外周側に張り出した部分に面ファスナ４１を設けるとともに、第２外周縁２２よりも内周側の内周部２３に面ファスナ４２を設けるようにしたが、第１外周縁２１において裏分岐部２１ｂの表分岐部２１ａと重なり合う部分に面ファスナ４１を設けるとともに、第２外周縁２２に面ファスナ４２を設けることもできる。この場合には、裏分岐部２１ｂの表分岐部２１ａよりも外周端側に張り出した部分を省略してもよい。
【００６３】
上記実施形態では、シート本体２０の長手方向において一方の端部に一対の鳩目３１を１つ取付けるとともに他方の端部に一対の鳩目３１を４つ取付けるようにしたが、これらの数は適宜変更することができる。
【００６４】
上記実施形態では、長手方向に延びる第１外周縁２１に外周端側へそれぞれ延びて２枚のシート状に分岐する表分岐部２１ａ及び裏分岐部２１ｂを形成するようにしたが、短手方向に延びる短辺側の外周縁２６に同様の表分岐部および裏分岐部を形成することもできる。この場合は、複数の養生用シートを長手方向に並べて設置する際に、短手方向に延びる外周縁２６同士に隙間が生じることを抑制することができる。また、短手方向に延びる外周縁２６では、長手方向に延びる第１外周縁２１及び第２外周縁２２に比べて、養生用シート１０の面を押すような力が作用したときの変形量が小さくなり、外周縁２６同士の間に隙間が生じにくい。したがって、上側のシートの表分岐部と裏分岐部とで下側のシートの外周縁２６を挟み込むだけの構成として面ファスナを省略してもよい。
【００６５】
上記実施形態では、養生用シート１０を１８００ｍｍ×５４００ｍｍの寸法規格に対応させて形成したが、例えば１８００ｍｍ×３６００ｍｍ等、その他の寸法規格に対応させて形成することもできる。この場合には、養生用シートの寸法に応じて、面ファスナ４１，４２の数や紐５１ａ，５１ｂを固定する箇所の数を適宜調整することが望ましい。
【００６６】
上記実施形態では、シート本体２０の長手方向において、表分岐部２１の両端部と第２外周縁２２の両端部とをクランプ７０により固定するようにしたが、表分岐部２１の中央部と第２外周縁２２の中央部とを補助的に固定する面ファスナ４１，４２等を設けるようにしてもよい。
【００６７】
上記実施形態では、隣接する養生用シート１０におけるシート本体２０の第２外周縁２２及びその内周側の内周部２３を含む部分と本養生用シート１０における裏分岐部２１ｂとを重ね合わせた状態で固定する構造として面ファスナ４１，４２を採用したが、互いに係合して固定されるボタン等のその他の固定構造を採用することもできる。
【００６８】
上記実施形態では、クランプ７０によって養生用シート１０を固定するようにしたが、養生用シート１０に形成された貫通孔（鳩目３０）に挿通可能な挿通部材を有する固定装置であれば、その他の固定装置を採用することもできる。また、建設工事現場の足場に限らず、他の施設に養生用シート１０を設置することもできる。
【符号の説明】
【００６９】
１０…養生用シート、２０…シート本体、２１…第１外周縁、２１ａ…第１分岐部としての表分岐部、２１ｂ…第２分岐部としての裏分岐部、２２…第２外周縁、３１…鳩目、４１，４２…固定構造としての面ファスナ。
【図１】
2010159621.tif 000003
【図２】
2010159621.tif 000004
【図３】
2010159621.tif 000005
【図４】
2010159621.tif 000006
【図５】
2010159621.tif 000007
【図６】
2010159621.tif 000008
【手続補正書】
【提出日】平成21年12月4日(2009.12.4)
【手続補正１】
【補正対象書類名】明細書
【補正対象項目名】００１５
【補正方法】削除
【補正の内容】
【手続補正２】
【補正対象書類名】明細書
【補正対象項目名】００１６
【補正方法】変更
【補正の内容】
【００１６】
さらに、第１の発明は、前記シート本体における第２外周縁の長手方向の両端部と前記第１分岐部の長手方向の両端部とに形成された前記貫通孔同士を結ぶ線分と平行をなして前記貫通孔よりも前記シート本体の外周端側に配設されるとともに、平行をなす前記線分よりも短く形成されて両端部が前記シート本体に固定された紐を備えているため、シート全体を広げて貫通孔にクランプ等を適用してシートを引っ張った状態にすると、シートを設置する前よりも紐が伸ばされた状態となる。このため、貫通孔よりもシート本体の外周端側に配設された紐に張力が発生した状態となり、この紐の張力によってシートの外周を直線状に保持することができる。したがって、シートの面を押すような力が作用した場合であっても、シートの外形が内周側に変形することを抑制することができる。その結果、隣接するシート同士に隙間が生じることを更に抑制することができる。
【手続補正３】
【補正対象書類名】明細書
【補正対象項目名】００１７
【補正方法】変更
【補正の内容】
【００１７】
第２の発明は、第１の発明において、前記紐は、更に中間部が前記シート本体に固定されているため、シートが設置されて紐が伸ばされた状態になったときに、その固定された中間部を両端部側へそれぞれ引っ張ることができる。このため、紐の両端部のみがシート本体に固定されている場合と比較して、シート本体の中間部に紐の張力を効率的に伝えることができるため、シートの外形が内周側に変形することを更に抑制することができる。
【手続補正４】
【補正対象書類名】明細書
【補正対象項目名】００１９
【補正方法】変更
【補正の内容】
【００１９】
この点、第３の発明は、第１又は第２の発明において、前記シート本体の第２分岐部は、前記シート本体の長手方向において、前記シート本体における第２外周縁の長手方向の両端部と前記第１分岐部の長手方向の両端部とに形成された前記貫通孔よりも内側にのみ設けられているため、本シートの第２分岐部はクランプの挿通部材等を避けることができる。その結果、シート本体の第１外周縁の外周端側へそれぞれ延びて２枚のシート状に分岐する第１分岐部及び第２分岐部を備える養生用シートであっても、クランプ等により問題なく設置することができる。
【手続補正５】
【補正対象書類名】明細書
【補正対象項目名】００２０
【補正方法】変更
【補正の内容】
【００２０】
また、第４の発明は、第１又は第２の発明において、前記シート本体の第２分岐部には、前記シート本体における前記第１分岐部の長手方向の両端部に形成された前記貫通孔に重ね合わされる位置に貫通孔が形成されているため、シート本体の第１分岐部に形成された貫通孔と第２分岐部に形成された貫通孔とに共にクランプの挿通部材等を挿通させてシートを固定することができる。このような構成によっても、クランプ等により問題なくシートを設置することができる。さらに、シート本体の第２分岐部を長手方向に引っ張った状態することができるため、隣接するシートの第２外周縁と本シートの第２分岐部とに隙間が生じることを抑制することができる。なお、前記シート本体における前記第１分岐部の長手方向の両端部に形成された前記貫通孔と前記シート本体の第２分岐部に形成された上記貫通孔とで、隣接する養生用シートにおける前記シート本体の第２外周縁及びその内周側を含む部分と本養生用シートにおける前記第２分岐部とを重ね合わせた状態で固定可能な固定構造を構成することもできる。
第５の発明は、第１〜第４のいずれかの発明において、前記第２分岐部は前記第１分岐部よりも前記シート本体における前記第１外周縁の外周端側へ長く延びるように形成され、前記固定構造は、本養生用シートにおける前記シート本体の前記第１分岐部と前記第２分岐部とで隣接する養生用シートの前記第２外周縁を挟み込んだときに、隣接する養生用シートにおいて前記シート本体の短手方向の第２外周縁に形成された貫通孔よりも内側の部分と本養生用シートの前記第２分岐部とを固定可能であるため、隣接するシートの第２外周縁およびその内周側を含む部分と本シートの第２分岐部とが重なり合う幅を、隣接するシートの第２外周縁と本シートの第１分岐部とが重なり合う幅よりも広くすることができる。その結果、シートを設置する位置やクランプの構成等による制約から、隣接するシートの第２外周縁と本シートの第１分岐部とが重なり合う幅を広くすることができない場合であっても、隣接するシート同士に隙間が生じることを抑制することができる。
【手続補正６】
【補正対象書類名】明細書
【補正対象項目名】００２２
【補正方法】変更
【補正の内容】
【００２２】
この点、第６の発明は、第１〜第５のいずれかの発明において、前記固定構造は、本養生用シートにおける前記シート本体の前記第１分岐部と前記第２分岐部とで隣接する養生用シートの前記第２外周縁を挟み込んだときに、前記シート本体の長手方向の両端部と中間部の所定間隔毎の位置とにおいて、隣接する養生用シートの前記シート本体の第２外周縁及びその内周側を含む部分と本養生用シートの前記第２分岐部とを固定可能であるため、シート本体の長手方向において両端部と中間部の所定間隔毎の位置とにおいて上記シートのずれを抑制することができる。このため、長手方向の全長にわたって連続的な固定構造を設けることなく、固定構造からの距離の長い部分が形成されることを抑制することができる。その結果、シートのコストが増加することを抑制しつつ、シート同士に隙間が生じることを抑制することができる。さらに、シート本体の長手方向の両端部において、隣接するシートの第２外周縁及びその内周側を含む部分と本シートの第２分岐部とを固定可能であるため、本シートの長手方向の両端部から第２分岐部がめくれることを抑制することができる。
【手続補正７】
【補正対象書類名】明細書
【補正対象項目名】００２３
【補正方法】変更
【補正の内容】
【００２３】
第７の発明は、第１〜第６のいずれかの発明において、前記シート本体における第２外周縁と前記第１分岐部とに形成された前記貫通孔は、本養生用シートにおける前記シート本体の前記第１分岐部と前記第２分岐部とで隣接する養生用シートの前記第２外周縁を挟み込んだときに、それぞれ重なり合うように前記シート本体の短手方向に並んで２つ形成されているため、この並んで形成された２つの貫通孔にクランプの２つの挿通部材等を挿通させることにより、２つの貫通孔の間隔分だけ隣接するシートの第２外周縁と本シートの第１分岐部とが重なり合う幅を確保することができる。その結果、隣接するシートの第２外周縁が本シートの第１分岐部と第２分岐部との間から外れることを抑制することができるとともに、シートの面を押すような力が作用してシートがずれたとしてもシートの外周縁同士の重なり合いがなくなることを抑制することができる。さらに、並んで形成された２つの貫通孔にクランプの２つの挿通部材等を挿通させることにより、１つの貫通孔にクランプの挿通部材等を挿通させる場合と比較して、クランプの挿通部材を中心としたシートの回転を抑制することができる。このため、シートの外周縁が移動することを抑制することができ、隣接するシート同士に隙間が生じることを更に抑制することができる。
【手続補正８】
【補正対象書類名】明細書
【補正対象項目名】００２４
【補正方法】変更
【補正の内容】
【００２４】
第８の発明は、上述したいずれかの養生用シートからなる第１の養生用シート及び第２の養生用シートをクランプによって足場に設置する方法であって、前記第１の養生用シートにおける前記シート本体の前記第１分岐部と前記第２分岐部とで、前記第２の養生用シートの第２外周縁を挟み込む工程と、前記第２の養生用シートの前記シート本体における第２外周縁の長手方向の両端部と、前記第１の養生用シートにおける前記第１分岐部の長手方向の両端部とに、重ね合わせ可能なように形成された前記貫通孔を互いに重ね合わせる工程と、前記互いに重ね合わされた貫通孔に前記クランプの挿通部材を挿通させてクランプを前記足場の支柱に固定する工程と、前記第２の養生用シートにおける前記シート本体の第２外周縁及びその内周側を含む部分と前記第１の養生用シートの前記第２分岐部とを重ね合わせた状態で前記固定構造により固定する工程とを備えることを特徴とする。
【手続補正９】
【補正対象書類名】明細書
【補正対象項目名】００２５
【補正方法】変更
【補正の内容】
【００２５】
第８の発明によれば、前記第１の養生用シートにおける前記シート本体の前記第１分岐部と前記第２分岐部とで、前記第２の養生用シートの第２外周縁が挟み込まれる。そして、前記第２の養生用シートの前記シート本体における第２外周縁の長手方向の両端部と、前記第１の養生用シートにおける前記第１分岐部の長手方向の両端部とに、重ね合わせ可能なように形成された貫通孔が互いに重ね合わせられ、前記互いに重ね合わされた貫通孔に前記クランプの挿通部材が挿通されてクランプが足場の支柱に固定される。このため、第２の養生用シートの第２外周縁を第１の養生用シートにおける第１外周縁の第１分岐部と第２分岐部とで挟み込んだ状態で、第２の養生用シートの第２外周縁と第１の養生用シートの第１分岐部とを長手方向に引っ張った状態とすることができる。その結果、シートの長手方向の両端部をクランプによって固定することによりシートを設置することができるため、シートを設置する際の手間を減らすことができる。
【手続補正１０】
【補正対象書類名】明細書
【補正対象項目名】００２６
【補正方法】変更
【補正の内容】
【００２６】
また、第２の養生用シートの第２外周縁を第１の養生用シートにおける第１外周縁の第１分岐部と第２分岐部とで挟み込んだ状態で、前記第２の養生用シートにおける前記シート本体の第２外周縁及びその内周側を含む部分と前記第１の養生用シートの前記第２分岐部とが前記固定構造により固定される。このため、第２の養生用シートの第２外周縁及びその内周側を含む部分の面と、第１の養生用シートにおける第２分岐部の面との間に隙間が生じることを抑制することができる。したがって、第２の養生用シートにおける第２外周縁の面と第１の養生用シートにおける第１分岐部の面とが風等により離れたとしても、それらの面同士の隙間が第１の養生用シートの第２分岐部によって塞がれることとなる。その結果、シートが風の影響を受けたとしても、隣接するシート同士の隙間から小さな物体がシートよりも外側に落下することを抑制することができる。
さらに、第８の発明は、前記互いに重ね合わされた貫通孔に前記クランプの挿通部材を挿通させてクランプを前記足場の支柱に固定することにより、前記第１の養生用シート及び前記第２の養生用シートを引っ張った状態にして前記紐が伸ばされた状態とする。このため、貫通孔よりもシート本体の外周端側に配設された紐に張力が発生した状態となり、この紐の張力によってシートの外周を直線状に保持することができる。したがって、シートの面を押すような力が作用した場合であっても、シートの外形が内周側に変形することを抑制することができる。その結果、隣接するシート同士に隙間が生じることを更に抑制することができる。